(57)【要約】本発明は、老弱者用歩行補助器に係り、さらに詳しくは、椅子を上方に持ち上げることにより、老弱者が椅子から容易に立ち上がることができるようにする老弱者用歩行補助器に関する。【選択図】図２
2020508704.tif 000002
【特許請求の範囲】
【請求項１】
椅子付き老弱者用歩行補助器において、
前記椅子の座板は、後方が持ち上げられる方向に回転するように前方がヒンジ軸で結合され、
前記椅子の座板には、座板の後方を押し上げて上昇させる座板上昇モジュールが装着されたことを特徴とする、老弱者用歩行補助器。
【請求項２】
前記座板上昇モジュールは、一端が前記椅子の下部構造物にヒンジ連結され、他端は前記椅子の座板の底部にヒンジ連結された圧縮ばねを含んでなり、
前記圧縮ばねは、伸長しながら前記椅子の座板を持ち上げることを特徴とする、請求項１に記載の老弱者用歩行補助器。
【請求項３】
前記座板上昇モジュールは、前記圧縮ばねが圧縮されて座板が下降した状態で結合されるロック手段をさらに含んでなることを特徴とする、請求項２に記載の老弱者用歩行補助器。
【請求項４】
前記ロック手段は、
前記椅子の座板の底部に取り付けられる結合棒と、
前記座板の下部に位置し、前記座板の下降により前記結合棒が進入して結合されるロック部と、
前記結合棒が前記ロック部から分離されるように前記ロック部と前記結合棒との結合を解除する解除部とを含んでなることを特徴とする、請求項３に記載の老弱者用歩行補助器。
【請求項５】
前記椅子の座板の底面には支持プレートが取り付けられ、
前記圧縮ばねの一端は前記支持プレートの底面に連結され、
前記結合棒は、前記支持プレートの底面に前後方向に長く延在するように前記支持プレートの底面に取り付けられたことを特徴とする、請求項２乃至４のいずれか一項に記載の老弱者用歩行補助器。
【発明の詳細な説明】
【技術分野】
【０００１】
本発明は、老弱者用歩行補助器に係り、さらに詳しくは、椅子を上方に持ち上げることにより、老弱者が椅子から容易に立ち上がることができるようにする老弱者用歩行補助器に関する。
【背景技術】
【０００２】
一般に、高齢者や体の不自由な身体障害者は、一人で歩くのが難しいため、歩行を補助する補助器具を使って移動する場合が多い。
【０００３】
このように歩行が難しい高齢者や障害者が使用する代表的な歩行補助器具として杖が用いられるが、杖は、ユーザーの腕や脚の力に支えられるべきものなので、体力の弱い高齢者や障害者が使用するには多少不便さがある。
【０００４】
よって、最近では、患者や高齢者、脚または体の不自由な障害者などが軽い歩行運動や他所への移動の際に体を支えて移動することができるように歩行補助器が使われている。
【０００５】
韓国公開特許第１０−２００９−００９８３６９号公報（特許文献１）（老弱者用歩行補助器）、韓国公開特許第１０−２０１４−００７５４８０号公報（特許文献２）（老弱者用歩行補助器）、韓国登録特許第１０−１６５４８４３号公報（特許文献３）（下膊据置台付き老弱者用歩行補助器）には、老弱者がハンドルを手で把持して押したり引いたりしながら運行することができる本体の下部にキャスターが備えられた老弱者用歩行補助器が開示されている。
【０００６】
本発明に係る老弱者用歩行補助器１を示す図１を参照すると、上述したような従来の老弱者用歩行補助器１には、通常、老弱者が座ることが可能な椅子２０が補助器本体１０に備えられる。
【０００７】
ところが、老弱者が前記老弱者用歩行補助器１に備えられた椅子２０に座ってから立ち上がるには多くの力が入り、場合によっては再び座り込んで怪我をすることが発生する。
【先行技術文献】
【特許文献】
【０００８】
【特許文献１】韓国公開特許第１０−２００９−００９８３６９号公報
【特許文献２】韓国公開特許第１０−２０１４−００７５４８０号公報
【特許文献３】韓国登録特許第１０−１６５４８４３号公報
【発明の概要】
【発明が解決しようとする課題】
【０００９】
本発明は、上述したような点を認識して案出されたもので、その目的は、椅子を上方に持ち上げることにより、老弱者が椅子から容易に立ち上がることができるようにする老弱者用歩行補助器を提供することにある。
【課題を解決するための手段】
【００１０】
上記目的を達成するための本発明に係る老弱者用歩行補助器は、椅子付き老弱者用歩行補助器において、前記椅子の座板は、後方が持ち上げられる方向に回転するように前方がヒンジ軸で結合され、前記椅子の座板には、座板の後方を押し上げて上昇させる座板上昇モジュールが装着されたことを特徴とする。
【００１１】
また、本発明に係る老弱者用歩行補助器において、前記座板上昇モジュールは、一端が前記椅子の下部構造物にヒンジ連結され、他端は前記椅子の座板の底部にヒンジ連結された圧縮ばねを含んでなり、前記圧縮ばねは伸長しながら前記椅子の座板を持ち上げることを特徴とする。
【００１２】
また、本発明に係る老弱者用歩行補助器において、前記座板上昇モジュールは、前記圧縮ばねが圧縮されて座板が下降した状態で結合されるロック手段をさらに含んでなることを特徴とする。
【００１３】
また、本発明に係る老弱者用歩行補助器において、前記ロック手段は、前記椅子の座板の底部に取り付けられる結合棒と、前記座板の下部に位置し、前記座板の下降により前記結合棒が進入して結合されるロック部と、前記結合棒が前記ロック部から分離されるように前記ロック部と結合棒との結合を解除する解除部とを含んでなることを特徴とする。
【００１４】
また、本発明に係る老弱者用歩行補助器において、前記椅子の座板の底面には支持プレートが取り付けられ、上記圧縮ばねの一端は前記支持プレートの底面に連結され、前記結合棒は前記支持プレートの底面に前後方向に長く延在するように前記支持プレートの底面に取り付けられたことを特徴とする。
【発明の効果】
【００１５】
上述したような構成によって、本発明に係る老弱者用歩行補助器は、椅子を上方に持ち上げることにより、老弱者が椅子から容易に立ち上がることができるようにするという利点を有する。
【図面の簡単な説明】
【００１６】
【図１】本発明の一実施形態に係る老弱者用歩行補助器を示す側面図である。
【図２】本発明の一実施形態に係る老弱者用歩行補助器の座板上昇モジュールを示す分解斜視図である。
【図３】本発明の一実施形態に係る老弱者用歩行補助器の座板上昇モジュールが椅子に装着された状態を示す側面図である。
【図４】本発明の一実施形態に係る老弱者用歩行補助器の椅子から立ち上がる老弱者の起立を補助するように座板上昇モジュールが椅子を上昇させる作動を概念的に示す側面図である。
【図５】本発明の一実施形態に係る老弱者用歩行補助器の座板上昇モジュールのロック手段を示す側面図である。
【発明を実施するための形態】
【００１７】
以下、図示された実施形態を参照して、本発明に係る老弱者用歩行補助器をより詳細に説明する。
【００１８】
図１は本発明の一実施形態に係る老弱者用歩行補助器を示す側面図であり、図２は本発明の一実施形態に係る老弱者用歩行補助器の座板上昇モジュールを示す分解斜視図であり、図３は本発明の一実施形態に係る老弱者用歩行補助器の座板上昇モジュールが椅子に装着された状態を示す側面図であり、図４は本発明の一実施形態に係る老弱者用歩行補助器の椅子から立ち上がる老弱者の起立を補助するように座板上昇モジュールが椅子を上昇させる作動を概念的に示す側面図であり、図５は本発明の一実施形態に係る老弱者用歩行補助器の座板上昇モジュールのロック手段を示す側面図である。
【００１９】
本発明に係る老弱者用歩行補助器１は、座板上昇モジュール４０が椅子２０の座板２１を上昇させることにより、老弱者Ｐが椅子に座ってから立ち上がることを補助するように構成されたことを特徴とする。
【００２０】
図面を参照すると、本発明に係る老弱者用歩行補助器１は、通常の歩行補助器と同様に、補助器本体１０、椅子２０及び収納バスケット３０を含んでなる。さらに、本発明に係る老弱者用歩行補助器１は、補助器本体１０の下部にキャスター１１を備え、一側上部には老弱者Ｐが押すことができるように手で掴むためのハンドル１２を備える。
【００２１】
前記椅子２０は、老弱者Ｐが座ることができるように前記補助器本体１０の前方に設けられるが、前記補助器本体１０に平らに置かれた座板２１と、前記座板２１の後方から上方へ立設され、老弱者Ｐの背中を支持するための背もたれ２２と、前記座板２１の両側から上方へ突設され、前記補助器本体１０と一体をなすアームレスト２３とを含んで構成される。
【００２２】
通常、前記椅子２０は、一般な椅子とほぼ同様の構造を持つが、本発明は、前記椅子２０の座板２１の後方部分が上昇する構造を持つように前方部分がヒンジで連結される。すなわち、前記椅子２０の座板２１は、後部が持ち上げられる方向に回転するように前方がヒンジ軸で前記補助器本体１０に結合される。
【００２３】
前記収納バスケット３０は、前記椅子２０の座板２１の下部に設けされるが、通常、前記座板２１がその収納バスケット３０の上部の入口を覆うカバーの機能を行う。通常、前記収納バスケット３０には必要な物品が収納されるが、本発明では、前記椅子２０の座板２１を上昇させるための座板上昇モジュール４０が前記収納バスケット３０に収容されて前記座板２１の下部に装着される。すなわち、前記収納バスケット３０は、座板上昇モジュール４０が収納されて装着される構造物を形成する。
【００２４】
前記座板上昇モジュール４０は、前記椅子２０の座板２１の後方を押し上げて上昇させることにより、座板２１から立ち上がろうとする老弱者Ｐを上方Ｕに押し上げるための構成である。
【００２５】
図面を参照すると、前記座板上昇モジュール４０は、支持プレート４１、圧縮ばね４２、ロック手段４３及び支持フレーム４４を含んで構成される。
【００２６】
前記支持プレート４１は、前記椅子２０の座板２１の底面に取り付けられて前記座板２１を支持しながら、前記圧縮ばね４２及びロック手段４３の結合棒４３１が結合されるための板状の部材である。前記支持プレート４１の後方位置には、両側に前記圧縮ばね４２がヒンジ連結されるためのヒンジブラケット４１１が下方に突出するように備えられる。
【００２７】
前記圧縮ばね４２は、圧縮されてから伸長しながら、前記椅子２０の座板２１を持ち上げる力を前記座板２１の後方部分に加えるためのものである。図面には、前記圧縮ばね４２として、空気の圧縮を利用したシリンダー形状のガススプリング（Ｇａｓ  Ｓｐｒｉｎｇ）が用いられた実施形態が示されている。図面を参照すると、前記圧縮ばね４２であるガススプリングは、一端、すなわち下端が前記椅子２０の下部構造物である収納バスケット３０の底部に固定された支持フレーム４４にヒンジ連結され、他端、すなわち上端は前記椅子の座板の底部に取り付けられた支持プレート４１にヒンジ連結される。
【００２８】
老弱者Ｐが椅子２０に座りながら座板２１を下方に押すと、前記圧縮ばね４２は圧縮されながら座板２１が下降し、老弱者Ｐが椅子２０から立ち上がる場合、前記圧縮ばね４２が前記座板２１の後方部分を持ち上げることにより、立ち上がろうとする老弱者Ｐを上方Ｕに押し上げる。
【００２９】
一方、老弱者Ｐが椅子２０に座りながら座板２１を下方に押すと、前記圧縮ばね４２は圧縮されながら座板２１が下降するが、老弱者Ｐが楽に座っていられるように、下降した座板２１は上昇しないことが好ましい。このために、本発明は、下降した座板２１をホールドするためのロック手段４３が備えられる。
【００３０】
つまり、前記ロック手段４３は、前記圧縮ばね４２が圧縮されて座板２１が下降した状態で前記座板２１が上昇しないように結合される構成である。図面を参照すると、前記ロック手段４３は、結合棒４３１、ロック部４３２及び解除部４３３を含んで構成される。
【００３１】
前記結合棒４３１は、前記椅子２０の座板２１の底部に取り付けられ、前記収納バスケット３０の底部に固定されたロック部４３２に結合される構成である。図面を参照すると、前記結合棒４３１は、前記座板２１の底面に取り付けられた前記支持プレート４１の底面に前後方向に長く延在するように前記支持プレートの底面に取り付けられる。前記結合棒４３１は、座板２１の下降により、前記収納バスケット３０の底部に固定された前記ロック部４３２に進入してそのロック部４３２に結合される。それにより、前記座板２１は、前記ロック部４３２と結合棒４３１が分離されていない状態では上昇しなくなる。
【００３２】
前記ロック部４３２は、前記座板２１の下部、すなわち前記収納バスケット３０の底部に位置し、前記座板２１の下降により、前記結合棒４３１が進入する場合にその結合棒４３１が離脱しないように結合される構成である。
【００３３】
図面を参照すると、前記ロック部４３１は、前記収納バスケット３０の底部に固定された固定顎４３２ａと、前記固定顎４３２ａに対して相対的に回転しながら、前記固定顎４３２ａと噛み合うか或いは前記固定顎４３２ａと分離される可動顎４３２ｂと、前記可動顎４３２ｂが前記固定顎４３２ａと噛み合う方向に前記可動顎４３２ｂを弾性付勢（ｂｉａｓ）するためのバイアスばね（図示せず）とから構成される。前記可動顎４３２ｂは、前記バイアスばねによって前記固定顎４３２ａと噛み合う方向に付勢された状態を維持し、前記座板２１の下降により、前記結合棒４３１が前記固定顎４３２ａと可動顎４３２ｂとの間の隙間に進入すると、前記固定顎４３２ａと分離される方向にしばらく開いてから前記結合棒４３１が完全に進入すると、前記バイアスばねによって再び固定顎４３２ａと噛み合いながら前記結合棒４３１が離脱しないように結合される。前述のように、前記可動顎４３２ｂがバイアスばねによって付勢された状態では、前記結合棒４３１が前記固定顎４３２ａと可動顎４３２ｂに噛まれていて分離されなくなり、それにより、前記座板２１は、前記圧縮ばね４２が上方に持ち上げる力を受けている状態でも、持ち上げられずに下降した状態を維持する。
【００３４】
前述のように、前記結合棒４３１が前記固定顎４３２ａと可動顎４３２ｂに噛まれている状態で、老弱者Ｐが立ち上がるために解除部４３３を用いて前記可動顎４３２ｂを前記固定顎４３２ａと分離される方向Ｒに回転させると、前記結合棒４３１が前記ロック部４３１から分離され、それにより、前記座板２１は圧縮ばね４２の伸長により後方部分が上昇するように回転する。
【００３５】
前記解除部４３３は、前記結合棒４３１が前記ロック部４３２から分離されるように前記ロック部４３２と結合棒４３１との結合を解除するための構成である。図面を参照すると、前記解除部４３３は、一端が前記可動顎４３２ｂに連結され、他端は老弱者Ｐが手で掴むことができるように延長されたワイヤー（ｗｉｒｅ）によって構成され、老弱者Ｐが解除部４３３たるワイヤーを引っ張ると（Ｔ）、前記可動顎４３２ｂが前記固定顎４３２ａに対して分離される方向Ｒに回転しながら前記結合棒４３１が前記ロック部４３１から分離される。
【００３６】
前記支持フレーム４４は、前記圧縮ばね４２の下端がヒンジ連結されるための構成であって、前記収納バスケット３０の底部に前後方向に長く置かれて固定される。前記支持フレーム４４の後方部分には、前記圧縮ばね４２の下端がヒンジ連結されるためのヒンジブラケット４４１が設けられる。
【００３７】
図面及び以上で説明した老弱者用歩行補助器は、本発明を実施するための一つの実施形態に過ぎず、本発明の技術的思想を限定するものと解釈されてはならない。本発明の保護範囲は、以下の特許請求の範囲に記載された事項によってのみ定められ、本発明の要旨を逸脱することなく改良及び変更された実施形態は、本発明の属する技術分野における通常の知識を有する者に自明である限り、本発明の保護範囲に属するといえる。
【産業上の利用可能性】
【００３８】
上述したような構成を持つ本発明の老弱物用歩行補助器は、椅子を上方に持ち上げることにより、老弱者が椅子から容易に立ち上がることができるようにする産業上非常に有用な発明である。
【符号の説明】
【００３９】
１  老弱者用歩行補助器
１０  補助器本体
１１  キャスター
１２  ハンドル
２０  椅子
２１  座板
２２  背もたれ
２３  アームレスト
３０  収納バスケット
４０  座板上昇モジュール
４１  支持プレート
４２  圧縮ばね
４３  ロック手段
４３１  結合棒
４３２  ロック部
４３２ａ  固定顎
４３２ｂ  可動顎
４３３  解除部
４４  支持フレーム
【図１】
2020508704.tif 000003
【図２】
2020508704.tif 000004
【図３】
2020508704.tif 000005
【図４】
2020508704.tif 000006
【図５】
2020508704.tif 000007
【国際調査報告】
2020508704.tif 000008
2020508704.tif 000009
2020508704.tif 000010
2020508704.tif 000011